(57)【要約】  ワイヤレス通信システムでは、ユーザ機器（ＵＥ）には、測定ギャップの間に処理をハンドリングするためにルールの１つまたは複数のセットによって自律性が与えられている。ＵＥは、必要とされない場合、全測定ギャップを無視するか、またはその一部分のみを使用することができる。それによって、ランダムアクセスチャネル（ＲＡＣＨ）プロシージャを利用することなど、ソースキャリア周波数に同調されたままでいることの緊急の必要性をサポートすることができる。ＵＥは、タイムリーなハンドオーバをサポートするターゲットキャリア周波数に同調することを選択することもできる。必要とされる処理のタイプ（ダウンロード共有チャネル（ＤＬ  ＳＣＨ）、ＵＬ  ＳＣＨ、ＴＴＩバンドリング、ＲＡＣＨまたはＳＲ）に応じて、ＵＥは、要求を記憶し、ギャップの間に測定を処理することができ、またはギャップがなかったかのようにギャップ測定を無視することができる。
2011530895.tif 000002
【特許請求の範囲】
【請求項１】
測定ギャップを利用するための方法であって、
ソースキャリア周波数上でワイヤレスに通信することと、
前記ソースキャリア周波数上で測定ギャップの割当てを受信することと、
前記測定ギャップの少なくとも一部分の間に前記ソースキャリア周波数に同調されたままでいることを独立して判断することと、
前記独立判断に従って前記測定ギャップの間に前記ソースキャリア周波数とターゲットキャリア周波数との間で選択的に同調することと
を備える方法。
【請求項２】
前記測定ギャップの開始よりも後に前記ソース周波数から離調することを独立して判断することと、
前記測定ギャップに割り当てられた開始時間の後に前記ソースから前記ターゲットキャリア周波数に同調することと
をさらに備える、請求項１に記載の方法。
【請求項３】
前記測定ギャップの終了よりも前に前記ソース周波数に同調して戻ることを独立して判断することと、
前記測定ギャップに割り当てられた停止時間の前に前記ターゲットから前記ソースキャリア周波数に同調することと
をさらに備える、請求項１に記載の方法。
【請求項４】
前記測定ギャップの前記開始よりも後に前記ソース周波数から離調することを独立して判断することと、
前記測定ギャップに割り当てられた開始時間の後に前記ソースから前記ターゲットキャリア周波数に同調することと
をさらに備える、請求項３に記載の方法。
【請求項５】
前記測定ギャップの間に前記ソース周波数からのデパーチャをキャンセルすることを独立して判断することと、
前記測定ギャップの間に前記ソースキャリア周波数に同調されたままでいることと
をさらに備える、請求項１に記載の方法。
【請求項６】
前記測定ギャップの独立して判断された部分の間に、前記ソース周波数上で動作している基地局からのダウンリンク送信を受信および処理すること
をさらに備える、請求項１に記載の方法。
【請求項７】
前記ダウンリンク送信がＰＤＣＣＨ（物理ダウンリンク制御チャネル）またはＰＤＳＣＨ（物理ダウンリンク共有チャネル）である、請求項６に記載の方法。
【請求項８】
前記測定ギャップの間に行われるようにスケジュールされたアップリンク共有チャネル（ＵＬ−ＳＣＨ）送信を実行すること
をさらに備える、請求項１に記載の方法。
【請求項９】
ハイブリッド自動再送要求（ＨＡＲＱ）フィードバックが測定ギャップと衝突したときにＨＡＲＱ確認応答（ＡＣＫ／ＮＡＫ）を受信すること
をさらに備える、請求項１に記載の方法。
【請求項１０】
測定ギャップと衝突するＰＲＡＣＨ送信を実行することをさらに備える、請求項１に記載の方法。
【請求項１１】
測定ギャップとのランダムアクセスプロシージャに関係する後続の送信の潜在的な衝突に基づいて、ＰＲＡＣＨを実行すべきかどうかを判断すること
をさらに備える、請求項１０に記載の方法。
【請求項１２】
スケジューリング要求、サウンディング基準信号およびＣＱＩ（チャネル品質インジケータ）報告のうちの選択された１つが測定ギャップと衝突したときに、その選択された１つの送信を実行することをさらに備える、請求項１に記載の方法。
【請求項１３】
測定ギャップを利用するための少なくとも１つのプロセッサであって、
ソースキャリア周波数上でワイヤレスに通信するための第１のモジュールと、
前記ソースキャリア周波数上で測定ギャップの割当てを受信するための第２のモジュールと、
前記測定ギャップの少なくとも一部分の間に前記ソースキャリア周波数に同調されたままでいることを独立して判断するための第３のモジュールと、
前記独立判断に従って前記測定ギャップの間に前記ソースキャリア周波数とターゲットキャリア周波数との間で選択的に同調するための第４のモジュールと
を備えるプロセッサ。
【請求項１４】
測定ギャップを利用するためのコンピュータプログラム製品であって、
コンピュータにソースキャリア周波数上でワイヤレスに通信させるためのコードの第１のセットと、
前記コンピュータに前記ソースキャリア周波数上で測定ギャップの割当てを受信させるためのコードの第２のセットと、
コンピュータに、前記測定ギャップの少なくとも一部分の間に前記ソースキャリア周波数に同調されたままでいることを独立して判断させるためのコードの第３のセットと、
コンピュータに、前記独立判断に従って前記測定ギャップの間に前記ソースキャリア周波数とターゲットキャリア周波数との間で選択的に同調させるためのコードの第４のセットと
を備えるコンピュータ可読記憶媒体
を備えるコンピュータプログラム製品。
【請求項１５】
測定ギャップを利用するための装置であって、
ソースキャリア周波数上でワイヤレスに通信するための手段と、
前記ソースキャリア周波数上で測定ギャップの割当てを受信するための手段と、
前記測定ギャップの少なくとも一部分の間に前記ソースキャリア周波数に同調されたままでいることを独立して判断するための手段と、
前記独立判断に従って前記測定ギャップの間に前記ソースキャリア周波数とターゲットキャリア周波数との間で選択的に同調するための手段と
を備える装置。
【請求項１６】
測定ギャップを利用するための装置であって、
ソースキャリア周波数上でワイヤレスに通信するための送信機と、
前記ソースキャリア周波数上で測定ギャップの割当てを受信するための受信機と、
前記測定ギャップの少なくとも一部分の間に前記ソースキャリア周波数に同調されたままでいることを独立して判断するためのコンピューティングプラットフォームとを備え、
前記コンピューティングプラットフォームがさらに、前記独立判断に従って前記測定ギャップの間に前記ソースキャリア周波数とターゲットキャリア周波数との間で前記受信機を選択的に同調させる、装置。
【請求項１７】
前記コンピューティングプラットフォームがさらに、前記測定ギャップの開始よりも後に前記ソース周波数から離調することを独立して判断し、
前記コンピューティングプラットフォームがさらに、前記測定ギャップに割り当てられた開始時間の後に、前記受信機を前記ソースから前記ターゲットキャリア周波数に同調させる、
請求項１６に記載の装置。
【請求項１８】
前記コンピューティングプラットフォームがさらに、前記測定ギャップの終了よりも前に、前記ソース周波数に同調して戻ることを独立して判断し、
前記コンピューティングプラットフォームがさらに、前記測定ギャップに割り当てられた停止時間の前に、前記受信機を前記ターゲットから前記ソースキャリア周波数に同調させる、
請求項１６に記載の装置。
【請求項１９】
前記コンピューティングプラットフォームがさらに、前記測定ギャップの前記開始よりも後に前記ソース周波数から離調することを独立して判断し、
前記コンピューティングプラットフォームがさらに、前記測定ギャップに割り当てられた開始時間の後に、前記受信機を前記ソースから前記ターゲットキャリア周波数に同調させる、
請求項１８に記載の装置。
【請求項２０】
前記コンピューティングプラットフォームが、前記測定ギャップの間に前記ソース周波数からのデパーチャをキャンセルすることを独立して判断し、
前記コンピューティングプラットフォームがさらに、前記測定ギャップの間に前記ソースキャリア周波数に同調されたままでいる、
請求項１６に記載の装置。
【請求項２１】
前記コンピューティングプラットフォームがさらに、前記測定ギャップの独立して判断された部分の間に、前記ソース周波数上で動作している基地局からのダウンリンク送信を受信および処理する、請求項１６に記載の装置。
【請求項２２】
前記ダウンリンク送信がＰＤＣＣＨ（物理ダウンリンク制御チャネル）またはＰＤＳＣＨ（物理ダウンリンク共有チャネル）である、請求項２１に記載の装置。
【請求項２３】
前記送信機がさらに、前記測定ギャップの間に行われるようにスケジュールされたアップリンク共有チャネル（ＵＬ−ＳＣＨ）送信を実行する、請求項１６に記載の装置。
【請求項２４】
前記受信機がさらに、ハイブリッド自動再送要求（ＨＡＲＱ）フィードバックが測定ギャップと衝突したときにＨＡＲＱ確認応答（ＡＣＫ／ＮＡＫ）を受信する、請求項１６に記載の装置。
【請求項２５】
前記送信機がさらに、測定ギャップと衝突するＰＲＡＣＨ送信を実行する、請求項１６に記載の装置。
【請求項２６】
前記コンピューティングプラットフォームがさらに、測定ギャップとのランダムアクセスプロシージャに関係する後続の送信の潜在的な衝突に基づいてＰＲＡＣＨを実行すべきかどうかを判断する、請求項２５に記載の装置。
【請求項２７】
前記送信機がさらに、スケジューリング要求、サウンディング基準信号およびＣＱＩ（チャネル品質インジケータ）報告のうちの選択された１つが測定ギャップと衝突したときに、その選択された１つの送信を実行する、請求項１６に記載の装置。
【請求項２８】
測定ギャップを割り当てるための方法であって、
ソースキャリア周波数上でワイヤレスに通信することと、
前記ソースキャリア周波数上で測定ギャップの割当てを送信することと、
ユーザ機器が、前記測定ギャップの少なくとも一部分の間に前記ソースキャリア周波数に同調されたままでいることを独立して判断し、前記独立判断に従って前記測定ギャップの間に前記ソースキャリア周波数とターゲットキャリア周波数との間で選択的に同調することを可能にすることと
を備える方法。
【請求項２９】
ユーザ機器が、開始部分、中間部分、終了部分、全部分の間に離調すること、または全く離調しないことを独立して判断することができる、請求項２８に記載の方法。
【請求項３０】
ユーザ機器が前記ソース周波数に同調されたままでいることを期待して、前記測定ギャップの間にダウンリンク送信を送信することをさらに備える、請求項２８に記載の方法。
【請求項３１】
前記ダウンリンク送信がＰＤＣＣＨ（物理ダウンリンク制御チャネル）またはＰＤＳＣＨ（物理ダウンリンク共有チャネル）である、請求項３０に記載の方法。
【請求項３２】
前記測定ギャップの間に行われるようにスケジュールされた、ユーザ機器からのアップリンク共有チャネル（ＵＬ−ＳＣＨ）送信を受信することをさらに備える、請求項２８に記載の方法。
【請求項３３】
ハイブリッド自動再送要求（ＨＡＲＱ）フィードバックが測定ギャップと衝突するときにＨＡＲＱ確認応答（ＡＣＫ／ＮＡＫ）を送信すること
をさらに備える、請求項２８に記載の方法。
【請求項３４】
測定ギャップと衝突する、ユーザ機器からのＰＲＡＣＨ送信を受信することをさらに備える、請求項２８に記載の方法。
【請求項３５】
スケジューリング要求、サウンディング基準信号およびＣＱＩ（チャネル品質インジケータ）報告のうちの選択された１つが測定ギャップと衝突したときに、ユーザ機器からのその選択された１つの送信を受信することをさらに備える、請求項２８に記載の方法。
【請求項３６】
測定ギャップを割り当てるための少なくとも１つのプロセッサであって、
ソースキャリア周波数上でワイヤレスに通信するための第１のモジュールと、
前記ソースキャリア周波数上で測定ギャップの割当てを送信するための第２のモジュールと、
ユーザ機器が、前記測定ギャップの少なくとも一部分の間に前記ソースキャリア周波数に同調されたままでいることを独立して判断し、前記独立判断に従って前記測定ギャップの間に前記ソースキャリア周波数とターゲットキャリア周波数との間で選択的に同調することを可能にするための第３のモジュールと
を備えるプロセッサ。
【請求項３７】
測定ギャップを割り当てるためのコンピュータプログラム製品であって、
コンピュータにソースキャリア周波数上でワイヤレスに通信させるためのコードの第１のセットと、
前記コンピュータに前記ソースキャリア周波数上で測定ギャップの割当てを送信させるためのコードの第２のセットと、
コンピュータに、ユーザ機器が、前記測定ギャップの少なくとも一部分の間に前記ソースキャリア周波数に同調されたままでいることを独立して判断し、前記独立判断に従って前記測定ギャップの間に前記ソースキャリア周波数とターゲットキャリア周波数との間で選択的に同調することを可能にさせるためのコードの第３のセットと
を備えるコンピュータ可読記憶媒体
を備えるコンピュータプログラム製品。
【請求項３８】
測定ギャップを割り当てるための装置であって、
ソースキャリア周波数上でワイヤレスに通信するための手段と、
前記ソースキャリア周波数上で測定ギャップの割当てを送信するための手段と、
ユーザ機器が、前記測定ギャップの少なくとも一部分の間に前記ソースキャリア周波数に同調されたままでいることを独立して判断し、前記独立判断に従って前記測定ギャップの間に前記ソースキャリア周波数とターゲットキャリア周波数との間で選択的に同調することを可能にするための手段と
を備える装置。
【請求項３９】
測定ギャップを割り当てるための装置であって、
ソースキャリア周波数上でワイヤレスに通信するための受信機と、
前記ソースキャリア周波数上で測定ギャップの割当てを送信するための送信機と、
前記測定ギャップの少なくとも一部分の間に前記ソースキャリア周波数に同調されたままでいることを独立して判断するためのコンピューティングプラットフォームとを備え、
前記ユーザ機器が、前記ユーザ機器の送信機を、前記ユーザ機器の独立判断に従って前記測定ギャップの間に前記ソースキャリア周波数とターゲットキャリア周波数との間で選択的に同調させる、装置。
【請求項４０】
ユーザ機器が、開始部分、中間部分、終了部分、全部分の間に離調すること、または全く離調しないことを独立して判断することができる、請求項３９に記載の装置。
【請求項４１】
前記送信機はさらに、ユーザ機器が前記ソース周波数に同調されたままでいることを期待して、前記測定ギャップの間にダウンリンク送信を送信する、請求項３９に記載の装置。
【請求項４２】
前記ダウンリンク送信がＰＤＣＣＨ（物理ダウンリンク制御チャネル）またはＰＤＳＣＨ（物理ダウンリンク共有チャネル）である、請求項４１に記載の装置。
【請求項４３】
前記受信機がさらに、前記測定ギャップの間に行われるようにスケジュールされた、ユーザ機器からのアップリンク共有チャネル（ＵＬ−ＳＣＨ）送信を受信する、請求項３９に記載の装置。
【請求項４４】
前記送信機がさらに、ハイブリッド自動再送要求（ＨＡＲＱ）フィードバックが測定ギャップと衝突するときにＨＡＲＱ確認応答（ＡＣＫ／ＮＡＫ）を送信する、請求項３９に記載の装置。
【請求項４５】
前記受信機がさらに、測定ギャップと衝突する、ユーザ機器からのＰＲＡＣＨ送信を受信する、請求項３９に記載の装置。
【請求項４６】
前記受信機がさらに、スケジューリング要求、サウンディング基準信号およびＣＱＩ（チャネル品質インジケータ）報告のうちの選択された１つが測定ギャップと衝突したときに、ユーザ機器からのその選択された１つの送信を受信する、請求項３９に記載の装置。
【発明の詳細な説明】
【優先権の主張】
【０００１】
米国特許法第１１９条に基づく優先権の主張
本特許出願は、本出願の譲受人に譲渡され、参照により明確に本明細書に組み込まれる、２００８年８月８日に出願された「Method and Apparatus for Handling Measurement Gaps in Wireless Communication System」と題する仮出願第６１／０８７，５４１号の優先権を主張する。
【技術分野】
【０００２】
本明細書で説明する例示的で非限定的な態様は、一般にワイヤレス通信システム、方法、コンピュータプログラム製品およびデバイスに関し、より詳細には、測定ギャップを処理するための技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立できる。
【０００５】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は第３世代（３Ｇ）携帯電話技術の１つである。ＵＭＴＳ  Ｔｅｒｒｅｓｔｒｉａｌ  Ｒａｄｉｏ  Ａｃｃｅｓｓ  Ｎｅｔｗｏｒｋ、略してＵＴＲＡＮは、ＵＭＴＳコアネットワークを構成するノードＢと無線ネットワークコントローラとの総称である。この通信ネットワークは、リアルタイム回線交換からＩＰベースパケット交換まで多くのトラフィックタイプを搬送することができる。ＵＴＲＡＮは、ＵＥ（ユーザ機器）とコアネットワークとの間の接続を可能にする。ＵＴＲＡＮは、ノードＢと呼ばれる基地局と無線ネットワークコントローラ（ＲＮＣ）とを含む。ＲＮＣは１つまたは複数のノードＢに制御機能を与える。典型的な実装形態は、複数のノードＢにサービスしている中央局に配置された別個のＲＮＣを有するが、ノードＢとＲＮＣは同じデバイスとすることができる。ノードＢとＲＮＣとが物理的に分離される必要はないということにもかかわらず、それらの間には、Ｉｕｂとして知られる論理インターフェースがある。ＲＮＣおよびその対応するノードＢは、無線ネットワークサブシステム（ＲＮＳ）と呼ばれる。ＵＴＲＡＮには２つ以上のＲＮＳが存在する場合がある。
【０００６】
３ＧＰＰ  ＬＴＥ（Ｌｏｎｇ  Ｔｅｒｍ  Ｅｖｏｌｕｔｉｏｎ）は、ＵＭＴＳ携帯電話規格を将来の要件に対処するように向上させるためのＴｈｉｒｄ  Ｇｅｎｅｒａｔｉｏｎ  Ｐａｒｔｎｅｒｓｈｉｐ  Ｐｒｏｊｅｃｔ（３ＧＰＰ）内のプロジェクトに付けられた名前である。目的は、効率性向上、コスト削減、サービス改善、新規のスペクトル機会（spectrum opportunity）の利用、および他のオープンスタンダードとの統合の改良を含む。ＬＴＥシステムは、Ｅｖｏｌｖｅｄ  ＵＴＲＡ（ＥＵＴＲＡ）および進化型ＵＴＲＡＮ（ＥＵＴＲＡＮ）規格シリーズに記載されている。
【０００７】
ユーザ機器（ＵＥ）が測定を実行するためにソースキャリア周波数からターゲットキャリア周波数に同調することができるように、ソース基地局など、ネットワークによってユーザ機器に測定ギャップが割り当てられる。これは、デュアルモード受信機がないＵＥにとって特に有用である。それにより、必要とされるか有利なときに、ハンドオーバをより迅速に実行することが可能になるので、ＵＥのモビリティが円滑になる。
【発明の概要】
【０００８】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【０００９】
１つまたは複数の態様およびその対応する開示に従って、測定ギャップをハンドリングするための技法に関して様々な態様について説明する。測定ギャップ継続時間が、ネットワークエンティティからユーザ機器（ＵＥ）への割当てにおける固定された所定の時間量（たとえば、６ｍｓ）の間であるとき、ＵＥは、有利には、ギャップのための固定された時間期間を有するのではなく、その有効測定ギャップを変化させるための自由度を有する。それにより、測定の実際の継続時間は、測定するターゲット無線アクセス技術（ＲＡＴ）のタイプに依存することがあり、あるＲＡＴでは、６ｍｓ未満を要することがある。また、節電（たとえば、不連続受信ＤＲＸ）構成に応じて、ＵＥは様々な時間に補助測定を実行することが可能である。ＵＥが所定のパフォーマンス要件（たとえば、測定パフォーマンス）を満たす限り、ＵＥは必要なだけ測定することが可能である。測定を実行しないとき、ＵＥは、そのサービングセル上で送信を実行することが可能である。
【００１０】
一態様では、ソースキャリア周波数上でワイヤレスに通信すること、ソースキャリア周波数上で測定ギャップの割当てを受信すること、測定ギャップの少なくとも一部分の間にソースキャリア周波数に同調されたままでいることを独立して判断すること、および独立判断に従って測定ギャップの間にソースキャリア周波数とターゲットキャリア周波数との間で選択的に同調することによって、測定ギャップを利用するための方法が提供される。
【００１１】
別の態様では、測定ギャップを利用するための少なくとも１つのプロセッサが提供される。第１のモジュールはソースキャリア周波数上でワイヤレスに通信する。第２のモジュールはソースキャリア周波数上で測定ギャップの割当てを受信する。第３のモジュールは、測定ギャップの少なくとも一部分の間にソースキャリア周波数に同調されたままでいることを独立して判断する。第４のモジュールは、独立判断に従って測定ギャップの間にソースキャリア周波数とターゲットキャリア周波数との間で選択的に同調する。
【００１２】
追加の態様では、測定ギャップを利用するためのコンピュータプログラム製品が提供される。コンピュータ可読記憶媒体は、コンピュータに、ソースキャリア周波数上でワイヤレスに通信させるためのコードのセットと、ソースキャリア周波数上で測定ギャップの割当てを受信させるためのコードのセットと、測定ギャップの少なくとも一部分の間にソースキャリア周波数に同調されたままでいることを独立して判断させるためのコードのセットと、独立判断に従って測定ギャップの間にソースキャリア周波数とターゲットキャリア周波数との間で選択的に同調させるためのコードのセットとを備える。
【００１３】
別の追加の態様では、測定ギャップを利用するための装置が提供される。ソースキャリア周波数上でワイヤレスに通信するための手段が提供される。ソースキャリア周波数上で測定ギャップの割当てを受信するための手段が提供される。測定ギャップの少なくとも一部分の間にソースキャリア周波数に同調されたままでいることを独立して判断するための手段が提供される。独立判断に従って測定ギャップの間にソースキャリア周波数とターゲットキャリア周波数との間で選択的に同調するための手段が提供される。
【００１４】
さらなる態様では、測定ギャップを利用するための装置が提供される。送信機はソースキャリア周波数上でワイヤレスに通信する。受信機はソースキャリア周波数上で測定ギャップの割当てを受信する。コンピューティングプラットフォームは、測定ギャップの少なくとも一部分の間にソースキャリア周波数に同調されたままでいることを独立して判断し、コンピューティングプラットフォームはさらに、独立判断に従って測定ギャップの間にソースキャリア周波数とターゲットキャリア周波数との間で送信機を選択的に同調させる。
【００１５】
さらなる一態様では、ソースキャリア周波数上でワイヤレスに通信すること、ソースキャリア周波数上で測定ギャップの割当てを送信すること、およびユーザ機器が測定ギャップの少なくとも一部分の間にソースキャリア周波数に同調されたままでいることを独立して判断し、独立判断に従って測定ギャップの間にソースキャリア周波数とターゲットキャリア周波数との間で選択的に同調することを可能にすることによって、測定ギャップを割り当てるための方法が提供される。
【００１６】
さらに別の態様では、測定ギャップを割り当てるための少なくとも１つのプロセッサが提供される。第１のモジュールはソースキャリア周波数上でワイヤレスに通信する。第２のモジュールはソースキャリア周波数上で測定ギャップの割当てを受信する。第３のモジュールは、測定ギャップの少なくとも一部分の間にソースキャリア周波数に同調されたままでいることを独立して判断する。第４のモジュールは、独立判断に従って測定ギャップの間にソースキャリア周波数とターゲットキャリア周波数との間で選択的に同調する。
【００１７】
さらなる追加の態様では、測定ギャップを割り当てるためのコンピュータプログラム製品が提供される。コンピュータ可読記憶媒体は、コンピュータに、ソースキャリア周波数上でワイヤレスに通信させるためのコードのセットと、ソースキャリア周波数上で測定ギャップの割当てを送信させるためのコードのセットと、ユーザ機器が、測定ギャップの少なくとも一部分の間にソースキャリア周波数に同調されたままでいることを独立して判断することを可能にさせるためのコードのセットと、独立判断に従って測定ギャップの間にソースキャリア周波数とターゲットキャリア周波数との間で選択的に同調させるためのコードのセットとを備える。
【００１８】
さらに別の追加の態様では、測定ギャップを割り当てるための装置が提供される。ソースキャリア周波数上でワイヤレスに通信するための手段が提供される。ソースキャリア周波数上で測定ギャップの割当てを送信するための手段が提供される。ユーザ機器が、測定ギャップの少なくとも一部分の間にソースキャリア周波数に同調されたままでいることを独立して判断し、独立判断に従って測定ギャップの間にソースキャリア周波数とターゲットキャリア周波数との間で選択的に同調することを可能にするための手段が提供される。
【００１９】
またさらなる態様では、測定ギャップを割り当てるための装置が提供される。受信機はソースキャリア周波数上でワイヤレスに通信する。送信機はソースキャリア周波数上で測定ギャップの割当てを送信する。コンピューティングプラットフォームは、測定ギャップの少なくとも一部分の間にソースキャリア周波数に同調されたままでいることを独立して判断し、ユーザ機器は、ユーザ機器の独立判断に従って測定ギャップの間にユーザ機器の送信機をソースキャリア周波数とターゲットキャリア周波数との間で選択的に同調させる。
【００２０】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用できる様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００２１】
本開示の特徴、性質、および利点は、全体を通じて同様の参照符号が同様のものを指す図面とともに、以下に記載する詳細な説明を読めばより明らかになろう。
【図面の簡単な説明】
【００２２】
【図１】通信システムのブロック図。
【図２】測定ギャップを利用する際に独立性を働かせるために、ネットワークによって可能にされ、ユーザ機器によって実行されるオプションのタイミング図。
【図３】測定ギャップを利用する際に独立性を働かせるために、ネットワークによって可能にされ、ユーザ機器によって実行される方法または動作のシーケンスを示す図。
【図４】一態様による、測定ギャップを利用するための多元接続ワイヤレス通信システムの図。
【図５】測定ギャップを利用するための通信システムの概略ブロック図。
【図６】測定ギャップを利用するためにワイヤレスに通信する基地局およびユーザ機器の概略ブロック図。
【図７】測定ギャップを利用するための電気構成要素の論理グルーピングを備えるシステムを示す図。
【図８】ユーザ機器が測定ギャップを利用することを可能にするための電気構成要素の論理グルーピングを備えるシステムを示す図。
【図９】ワイヤレスネットワークによって可能にされた、ユーザ機器が測定ギャップを利用するための方法または動作のシーケンスの流れ図。
【図１０】測定ギャップを利用するための装置のブロック図。
【図１１】測定ギャップを割り当てるための装置のブロック図。
【発明を実施するための形態】
【００２３】
ワイヤレス通信システムでは、ユーザ機器（ＵＥ）には、測定ギャップの間に処理をハンドリングするためにルールの１つまたは複数のセットによって自律性が与えられている。測定ギャップは、被サービスＵＥが、異なる周波数および波形の異なる無線アクセス技術（ＲＡＴ）へのハンドオーバの準備をすることができるように与えられる時間間隔である。ＵＥは、必要とされない場合、全測定ギャップを無視するか、またはその一部分のみを使用することができる。それによって、ランダムアクセスチャネル（ＲＡＣＨ）プロシージャを利用することなど、ソースキャリア周波数に同調されたままでいることの緊急の必要性をサポートすることができる。ＵＥは、タイムリーなハンドオーバをサポートするターゲットキャリア周波数に同調することを選択することもできる。必要とされる処理のタイプに応じて、ＵＥは、要求を記憶し、ギャップの間に測定を処理することができ、またはギャップがなかったかのようにギャップ測定を無視することができる。処理のタイプの例には、ダウンロード共有チャネル（ＤＬ  ＳＣＨ）、アップリンク共有チャネル（ＵＬ  ＳＣＨ）、送信時間間隔（ＴＴＩ）バンドリングの間のハイブリッド自動再送要求（ＨＡＲＱ）送信、ＲＡＣＨ処理またはサービス要求（ＳＲ）がある。
【００２４】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施できることは明白であろう。他の例では、これらの態様の説明を円滑にするために、よく知られている構造およびデバイスをブロック図の形態で示す。
【００２５】
最初に図１を参照すると、無線（ＯＴＡ）リンク１０４を介してユーザ機器（ＵＥ）１０６と通信する、進化型ノードＢ（ｅＮＢ）１０２として示された基地局を備える通信システム１００は、ソース無線アクセス技術（ＲＡＴ）を備える。連続的な通信セッションでモビリティを円滑にするために、ＵＥ１０６は有利には、測定されたｅＮＢ１１０として示したターゲット基地局によってブロードキャスト１０８の測定を行うことができる。いくつかの例では、ＵＥ１０８は、ただ１つの受信機１１２を使用しており、したがって、第１の受信機１１２がソースキャリア周波数に同調したままでいる間、ターゲットｅＮＢ１１０のターゲットキャリア周波数に同調することができる第２の受信機１１４がない。したがって、高度にスケジュールされたワイヤレス通信プロトコルでは、ソースｅＮＢ１０２は、ダウンリンク（ＤＬ）１１８上の測定ギャップ１１６をＵＥ１０６に割り当てることが有利である。測定ギャップの間、ＵＥはソース基地局から離調することができる。有利には、ＵＥ１０６は、割り当てられた測定ギャップの全部または一部を使用すべきか否かを判断することができる独立測定ギャップ使用構成要素１２０を有する。代わりに、ＵＥ１０６は、ソースＲＡＴに関して、ＤＬ１１８を監視するか、または測定ギャップの一部または全部の間にアップリンク１２４上でアップリンク（ＵＬ）通信１２２を実行することができる。
【００２６】
図２には、固定された期間とすることができる、一態様による測定ギャップ２０２についてのタイミングパラメータ２００が示されている。測定ギャップに準拠することを決定するための第１のオプションＡ２０４では、ＵＥは、開始時間（Ｔ１）２０８までソース周波数（ＳＦ）２０６において動作する。開始時間２０８において、ＵＥは、停止時間（Ｔ２）２１２までターゲット周波数（ＴＦ）２１０に切り替わる。したがって、測定ギャップ２０２は、開始時間（Ｔ１）２０８と停止時間（Ｔ２）２１２とによって定義される。
【００２７】
一態様による後期デパーチャ時間（ＬＴＤ）２１６を示すオプションＢ２１４では、ＵＥは、後期デパーチャ時間（ＬＤＴ）２１６までソース周波数（ＳＦ）２０６において動作する。後期デパーチャ時間（ＬＤＴ）２１６は、開始時間２０８の後であることに留意されたい。後期デパーチャ時間（ＬＤＴ）２１６において、ＵＥは、停止時間（Ｔ２）２１２までターゲット周波数（ＴＦ）２１０に切り替わる。後期デパーチャの場合の有効測定ギャップ２２０は、後期デパーチャ時間（ＬＤＴ）２１６と停止時間２１２とによって定義される。
【００２８】
別の態様による早期復帰時間（ＥＲＴ）２２４を示すオプションＣ２２２では、ＵＥは、開始時間（Ｔ１）２０８までソース周波数（ＳＦ）２０６において動作する。開始時間２０８において、ＵＥは、早期復帰時間（ＥＲＴ）２２４までターゲット周波数（ＴＦ）２１０に切り替わる。早期復帰時間（ＥＲＴ）２２４は、停止時間２１２の前であることに留意されたい。後期デパーチャの場合の有効測定ギャップ２２６は、開始時間２０８と早期復帰時間（ＥＲＴ）２２４とによって定義される。
【００２９】
別の態様によるキャンセルされたデパーチャ２３０を示すオプションＤ２２８では、ＵＥがソース周波数２０６のままであり、ターゲット周波数２１０に切り替わらないので、測定ギャップはない。
【００３０】
後期デパーチャ時間（ＬＤＴ）２３４と早期復帰２３６の両方を示すオプションＥ２３２では、有効測定ギャップ２３８が、後期デパーチャ時間（ＬＤＴ）２３４と早期復帰時間（ＥＲＴ）２３６とによって定義される。
【００３１】
図３には、ＵＥ３０２と、ソースｅＮＢ３０４と、ターゲットｅＮＢ３０６との間の動作の方法またはシーケンス３００が示されている。ソースｅＮＢ３０４は、３１０に示すように測定ギャップスケジューリングをＵＥ３０２に送信する。ＵＥ３０２は、割り当てられた測定ギャップの間にソース周波数上で通信する必要性について判断を行う（ブロック３１２）。ＵＥ３０２はさらに、測定ギャップの間のターゲット周波数上でのその測定必要性について判断する（ブロック３１４）。これらの必要性を分散することに基づいて、ＵＥ３０２は、測定ギャップの全部、または一部分を使用するか、あるいは使用しないことを選択する（ブロック３１６）。ブロック３２０において、ｅＮＢ３０４は、割り当てられた測定ギャップ３２４の選択部分３２２を使用してターゲット周波数に同調する（ブロック３２１）ＵＥ３０２のこの独立性を可能にする。特に、ｅＮＢ３０４は、３２６に示すように割り当てられた測定ギャップの間に行われるＵＥ３０２からのアップリンク通信を受信することができる。次いで、ｅＮＢ３０４はＵＬ送信を処理する（ブロック３２８）。ＵＥ３０２が３３２において測定ギャップ中でさえ送信を受信することができるように、ソースｅＮＢ３０４は、測定ギャップの間に緊急ダウンリンク送信を送信することを試みることもできる（ブロック３３０）。
【００３２】
ワイヤレス通信システムは、ボイス、データなど、様々なタイプの通信コンテンツを提供するために広く展開されていることを諒解されたい。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【００３３】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立できる。
【００３４】
ＭＩＭＯシステムは、データ伝送用の複数（ＮT）個の送信アンテナおよび複数（ＮR）個の受信アンテナを使用する。ＮT個の送信アンテナおよびＮR個の受信アンテナによって形成されたＭＩＭＯチャネルは、空間チャネルとも呼ばれるＮS個の独立チャネルに分解でき、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００３５】
ＭＩＭＯシステムは時分割複信（ＴＤＤ）および周波数分割複信（ＦＤＤ）システムをサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【００３６】
図４を参照すると、一態様による多元接続ワイヤレス通信システムが示されている。アクセスポイント４５０（ＡＰ）または基地局、あるいはｅＮＢは複数のアンテナグループを含み、あるアンテナグループは４５４と４５６とを含み、別のアンテナグループはアンテナ４５８と４６０とを含み、追加のアンテナグループはアンテナ４６２と４６４とを含む。図４では、アンテナグループごとに２つのアンテナのみが示されているが、アンテナグループごとにより多いまたはより少ないアンテナが利用できる。ユーザ機器（ＵＥ）またはアクセス端末（ＡＴ）４６６は、アンテナ４６２および４６４と通信中であり、アンテナ４６２および４６４は、順方向リンク４７０上でアクセス端末４６６に情報を送信し、逆方向リンク４６８上でアクセス端末４６６から情報を受信する。アクセス端末４７２はアンテナ４５６および４５８と通信中であり、アンテナ４５６および４５８は、順方向リンク４７６上でアクセス端末４７２に情報を送信し、逆方向リンク４７４上でアクセス端末４７２から情報を受信する。ＦＤＤシステムでは、通信リンク４６８、４７０、４７４および４７６は、通信のための異なる周波数を使用することができる。たとえば、順方向リンク４７０は、逆方向リンク４６８によって使用される周波数とは異なる周波数を使用することができる。アンテナの各グループ、および／またはアンテナが通信するために設計されたエリアは、しばしば、アクセスポイント４５０のセクタと呼ばれる。本態様では、アンテナグループはそれぞれ、アクセスポイント４５０によってカバーされるエリアのセクタ内でアクセス端末４６６、４７２に通信するように設計される。
【００３７】
順方向リンク４７０および４７６上の通信では、アクセスポイント４５０の送信アンテナは、異なるアクセス端末４６６および４７４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００３８】
アクセスポイント４５０は、端末との通信に使用される固定局とすることができ、アクセスポイント、ノードＢ、または何らかの他の用語で呼ばれることもある。アクセス端末４６６、４７２は、ユーザ機器（ＵＥ）、ワイヤレス通信デバイス、端末、アクセス端末または何らかの他の用語で呼ばれることもある。
【００３９】
図５は、ＭＩＭＯシステム５００における送信機システム５１０（アクセスポイントとしても知られる）および受信機システム５５０（アクセス端末としても知られる）の態様のブロック図である。送信機システム５１０において、いくつかのデータストリームのトラフィックデータがデータソース５１２から送信（ＴＸ）データプロセッサ５１４に供給される。
【００４０】
一態様では、各データストリームは、それぞれの送信アンテナを介して送信される。ＴＸデータプロセッサ５１４は、符号化データを与えるために、そのデータストリーム用に選択された特定の符号化方式に基づいて各データストリームのトラフィックデータをフォーマッティングし、符号化し、インターリーブする。
【００４１】
各データストリームの符号化データは、ＯＦＤＭ技法を使用してパイロットデータで多重化できる。パイロットデータは、典型的には、知られている方法で処理され、チャネル応答を推定するために受信機システムにおいて使用できる知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、メモリ５３２を利用してプロセッサ５３０によって実行される命令によって決定される。
【００４２】
次いで、すべてのデータストリームの変調シンボルがＴＸ  ＭＩＭＯプロセッサ５２０に供給され、ＴＸ  ＭＩＭＯプロセッサ５２０はさらに（たとえば、ＯＦＤＭの場合）その変調シンボルを処理する。次いで、ＴＸ  ＭＩＭＯプロセッサ５２０は、ＮT個の変調シンボルストリームをＮT個の送信機（ＴＭＴＲ）５２２ａ〜５２２ｔに供給する。いくつかの実装形態では、ＴＸ  ＭＩＭＯプロセッサ５２０は、データストリームのシンボルと、シンボルが送信されているアンテナとにビームフォーミング重みを適用する。
【００４３】
各送信機５２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機５２２ａ〜５２２ｔからのＮT個の変調信号は、それぞれ、ＮT個のアンテナ５２４ａ〜５２４ｔから送信される。
【００４４】
受信機システム５５０において、送信された変調信号はＮR個のアンテナ５５２ａ〜５５２ｒによって受信され、各アンテナ５５２からの受信信号は、それぞれの受信機（ＲＣＶＲ）５５４ａ〜５５４ｒに供給される。各受信機５５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【００４５】
次いで、ＲＸデータプロセッサ５６０は、特定の受信機処理技法に基づいてＮR個の受信機５５４からＮR個の受信シンボルストリームを受信し、処理して、ＮT個の「検出」シンボルストリームを供給する。次いで、ＲＸデータプロセッサ５６０は、各検出シンボルストリームを復調し、デインターリーブし、復号して、データストリームに対するトラフィックデータを回復する。ＲＸデータプロセッサ５６０による処理は、送信機システム５１０におけるＴＸ  ＭＩＭＯプロセッサ５２０およびＴＸデータプロセッサ５１４によって実行される処理を補足するものである。
【００４６】
プロセッサ５７０は、どのプリコーディング行列（以下で論じる）を使用すべきかを定期的に判断する。プロセッサ５７０は、メモリ５７２を利用して行列インデックス部とランク値部とを備える逆方向リンクメッセージを作成する。
【００４７】
逆方向リンクメッセージは、通信リンクおよび／または受信データストリームに関する様々なタイプの情報を備えることができる。次いで、逆方向リンクメッセージは、データソース５３６からいくつかのデータストリームのトラフィックデータをも受信するＴＸデータプロセッサ５３８によって処理され、変調器５８０によって変調され、送信機５５４ａ〜５５４ｒによって調整され、送信機システム５１０に戻される。
【００４８】
送信機システム５１０において、受信機システム５５０からの変調信号は、アンテナ５２４によって受信され、受信機５２２によって調整され、復調器５４０によって復調され、受信機システム５５０によって送信された逆方向リンクメッセージを抽出するためにＲＸデータプロセッサ５４２によって処理される。次いで、プロセッサ５３０は、ビームフォーミング重みを決定するためにどのプリコーディング行列を使用すべきかを決定し、次いで、抽出されたメッセージを処理する。
【００４９】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルであるマルチキャスト制御チャネル（ＭＣＣＨ）。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。態様では、論理トラフィックチャネルは、ユーザ情報を転送するための１つのＵＥに専用のポイントツーポイント双方向チャネルである専用トラフィックチャネル（ＤＴＣＨ）を備える。さらに、トラフィックデータを送信するためのポイントツーマルチポイントＤＬチャネルのためのマルチキャストトラフィックチャネル（ＭＴＣＨ）。
【００５０】
一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用できるＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【００５１】
ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、負荷インジケータチャネル（ＬＩＣＨ）を備える。ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、ブロードバンドパイロットチャネル（ＢＰＩＣＨ）を備える。
【００５２】
図６では、進化型基本ノード（ｅＮＢ）６００として示されたサービス側無線アクセスネットワーク（ＲＡＮ）は、コンピュータに、測定ギャップをハンドリングする際にユーザ機器独立性を割り当てさせ、可能にさせるためのコードのセットなどの手段を与えるコンピューティングプラットフォーム６０２を有する。特に、コンピューティングプラットフォーム６０２は、（１つまたは複数の）プロセッサ６２０によって実行される複数のモジュール６０６〜６１０を記憶するコンピュータ可読記憶媒体（たとえば、メモリ）６０４を含む。プロセッサ６２０によって制御される変調器６２２は、（１つまたは複数の）アンテナ６２６によって放射される、送信機６２４による変調のためのダウンリンク信号を準備する。受信機６２８は、復調器６３０によって復調され、復号のためにプロセッサ６２０に与えられる、（１つまたは複数の）アンテナ６２６からのアップリンク信号を受信する。特に、ソースキャリア周波数上でワイヤレスに通信するための手段（たとえば、モジュール、コードのセット）６０６が与えられる。ソースキャリア周波数上で測定ギャップの割当てを送信するための手段（たとえば、モジュール、コードのセット）６０８が与えられる。ユーザ機器が、測定ギャップの少なくとも一部分の間にソースキャリア周波数に同調されたままでいることを独立して判断し、独立判断に従って測定ギャップの間にソースキャリア周波数とターゲットキャリア周波数との間で選択的に同調することを可能にするための手段（たとえば、モジュール、コードのセット）６１０が与えられる。
【００５３】
引き続き図６を参照すると、ユーザ機器（ＵＥ）６５０として示された移動局は、コンピュータに独立的に測定ギャップをハンドリングさせるためのコードのセットなどの手段を与えるコンピューティングプラットフォーム６５２を有する。特に、コンピューティングプラットフォーム６５２は、（１つまたは複数の）プロセッサ６７０によって実行される複数のモジュール６５６〜６６２を記憶するコンピュータ可読記憶媒体（たとえば、メモリ）６５４を含む。プロセッサ６７０によって制御される変調器６７２は、６７７に示されるように（１つまたは複数の）アンテナ６７６によってｅＮＢ６００に放射される、送信機６７４による変調のためのアップリンク信号を準備する。受信機６７８は、復調器６８０によって復調され、復号のためにプロセッサ６７０に与えられる（１つまたは複数の）アンテナ６７６からｅＮＢ６００からのダウンリンク信号を受信する。特に、ソースキャリア周波数上でワイヤレスに通信するための手段（たとえば、モジュール、コードのセット）６５６が与えられる。ソースキャリア周波数上で測定ギャップの割当てを受信するための手段（たとえば、モジュール、コードのセット）６５８が与えられる。測定ギャップの少なくとも一部分の間にソースキャリア周波数に同調されたままでいることを独立して判断するための手段（たとえば、モジュール、コードのセット）６６０が与えられる。独立判断に従って測定ギャップの間にソースキャリア周波数とターゲットキャリア周波数との間で選択的に同調するための手段（たとえば、モジュール、コードのセット）６６２が与えられる。
【００５４】
実施形態は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【００５５】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００５６】
図７を参照すると、測定ギャップをハンドリングすることを可能にするシステム７００が示されている。たとえば、システム７００は、少なくとも部分的にユーザ機器（ＵＥ）内に常駐することができる。システム７００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム７００は、連携して動作することができる電気構成要素の論理グルーピング７０２を含む。たとえば、論理グルーピング７０２は、ソースキャリア周波数上でワイヤレスに通信するための電気構成要素７０４を含むことができる。その上、論理グルーピング７０２は、ソースキャリア周波数上で測定ギャップの割当てを受信するための電気構成要素７０６を含むことができる。さらに、論理グルーピング７０２は、測定ギャップの少なくとも一部分の間にソースキャリア周波数に同調されたままでいることを独立して判断するための電気構成要素７０８を含むことができる。さらに、論理グルーピング７０２は、独立判断に従って測定ギャップの間にソースキャリア周波数とターゲットキャリア周波数との間で選択的に同調するための電気構成要素７１０を含むことができる。さらに、システム７００は、電気構成要素７０４〜７１０に関連する機能を実行するための命令を保持するメモリ７１２を含むことができる。メモリ７１２の外部にあるものとして示されているが、電気構成要素７０４〜７１０の１つまたは複数は、メモリ７１２の内部に存在することができることを理解されたい。
【００５７】
図８を参照すると、測定ギャップの使用を割り当て、可能にすることを実施するシステム８００が示されている。たとえば、システム８００は、少なくとも部分的に基地局内に常駐することができる。システム８００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム８００は、連携して動作することができる電気構成要素の論理グルーピング８０２を含む。たとえば、論理グルーピング８０２は、ソースキャリア周波数上でワイヤレスに通信するための電気構成要素８０４を含むことができる。さらに、論理グルーピング８０２は、ソースキャリア周波数上で測定ギャップの割当てを送信するための電気構成要素８０６を含むことができる。さらに、論理グルーピング８０２は、ユーザ機器が、測定ギャップの少なくとも一部分の間にソースキャリア周波数に同調されたままでいることを独立して判断し、独立判断に従って測定ギャップの間にソースキャリア周波数とターゲットキャリア周波数との間で選択的に同調することを可能にするための電気構成要素８０８を含むことができる。さらに、システム８００は、電気構成要素８０４〜８０８に関連する機能を実行するための命令を保持するメモリ８１２を含むことができる。メモリ８１２の外部にあるものとして示されているが、電気構成要素８０４〜８０８の１つまたは複数は、メモリ８１２の内部に存在することができることを理解されたい。
【００５８】
図９には、一態様による測定ギャップをハンドリングするための動作の方法またはシーケンス９００が与えられている。ＵＥは、ソース周波数において動作する（ブロック９０２）。開始時間と停止時間とをもつ測定ギャップを受信する（ブロック９０４）。開始時間は、ＵＥがターゲット周波数に切り替わる時間であり、停止時間は、ＵＥがソース周波数に再び切り替わる時間である。言い換えれば、測定ギャップは、ＵＥがターゲット周波数に切り替わり、１つまたは複数の動作を実行する（たとえば、測定を行うなど）ために使用される。ＵＥは、（１）開始時間、（２）停止時間、または両方を変更することが可能である（ブロック９０６）。開始時間が遅延したとき、後期デパーチャが実施される。停止時間が前方に移動したとき、早期復帰が実施される。ＵＥは、ターゲット周波数に切り替わらないことも可能であり、それによって、キャンセルされたデパーチャ（たとえば、デパーチャ時間を停止時間まで延長するケース）が生じることに留意されたい。このアプローチは、測定が必要とされない場合でも、スマートＵＥが測定ギャップの間にソース周波数上で動作することを可能にする。追加の態様では、測定ギャップの間に行われるＵＬ−ＳＣＨ再送信はキャンセルされ、ＮＡＣＫされたと見なされ、ＨＡＲＱ送信試みの総数に含まれる。非適応型再送信がギャップの後に実行される（ブロック９０８）。さらなる態様では、最後のＵＬ−ＳＣＨ送信のためのＰＨＩＣＨのときに測定ギャップがあった場合、ＵＥはその送信のためのＨＡＲＱ  ＡＣＫが受信されたと見なす。ＵＥはＨＡＲＱ送信を中断し、したがってＰＤＣＣＨが再送信を再開することが必要とされる（ブロック９１０）。
【００５９】
図１０には、測定ギャップを利用するための装置１００２が与えられている。ソースキャリア周波数上でワイヤレスに通信するための手段１００４が与えられる。ソースキャリア周波数上で測定ギャップの割当てを受信するための手段１００６が与えられる。測定ギャップの少なくとも一部分の間にソースキャリア周波数に同調されたままでいることを独立して判断するための手段１００８が与えられる。独立判断に従って測定ギャップの間にソースキャリア周波数とターゲットキャリア周波数との間で選択的に同調するための手段１０１０が与えられる。
【００６０】
図１１には、測定ギャップを割り当てるための装置１１０２が与えられている。ソースキャリア周波数上でワイヤレスに通信するための手段１１０４が与えられる。ソースキャリア周波数上で測定ギャップの割当てを送信するための手段１１０６が与えられる。ユーザ機器が、測定ギャップの少なくとも一部分の間にソースキャリア周波数に同調されたままでいることを独立して判断し、独立判断に従って測定ギャップの間にソースキャリア周波数とターゲットキャリア周波数との間で選択的に同調することを可能にするための手段１１０８が与えられる。
【００６１】
上記の利益によって、様々な態様による様々なアプローチに従って、測定ギャップをハンドリングするための様々なルールを実装することができることを諒解されたい。第１に、ギャップの間にＵＬ−ＳＣＨ送信を要求する測定ギャップの前にＰＤＣＣＨが受信された場合、ＵＥは測定を実行するか、または関係するＵＬ−ＳＣＨ送信を実行することができ、またＵＥは、ギャップ中にそれ自体に宛てられ、送信されたＰＤＣＣＨ＋ＰＤＳＣＨを復号することができる。第２に、半永続的ＤＬ−ＳＣＨ送信またはＵＬ−ＳＣＨ送信がギャップと重なる場合、ＵＥは測定を実行するか、またはＳＣＨ送信を実行することができる。第３に、測定ギャップの間にＵＬ  ＡＣＫ／ＮＡＫを送信する必要があるか、または測定ギャップの間にＤＬ  ＡＣＫ／ＮＡＫが予想される場合、ＵＥは測定を実行するか、またはＡＣＫ／ＮＡＫを送信／受信することができる。第４に、ＴＴＩバンドルの終了の一部が測定ギャップと重なる（たとえば、サイズ４のバンドルの場合、１、２または３つのサブフレームの重なり）場合、ＵＥは測定を実行するか、または測定ギャップと重ならないバンドルの部分を送信することができる。一態様によれば、ＵＥは、いずれの場合もバンドルを否定応答（ＮＡＫされた）と見なし、無用なバンドル送信をもたらすことがある。別の態様では、バンドルについて少なくとも１つの送信が行われた場合、ＵＥはバンドルを肯定応答（Ａｃｋ）と見なすことができる。別の態様では、バンドル全体をキャンセルし、ＮＡＫされたと見なすことができる。第５に、スケジューリング要求（ＳＲ）、サウンディング基準信号（ＳＲＳ）またはＣＱＩ報告が測定ギャップ中に送信される必要がある場合、ＵＥは、測定ギャップを実行するか、または関連するＰＵＣＣＨ／ＰＵＳＣＨリソース上でそのようなデータを送信することができる。第６に、ＰＲＡＣＨが測定ギャップの間に送信される必要がある場合、ＵＥは測定を実行するか、またはＰＲＡＣＨを送信することができる。一態様では、ｅＮＢ開始ＲＡＣＨは、ＵＥ開始ＲＡＣＨから分離される。第７に、ランダムアクセス応答ウィンドウまたはランダムアクセスプロシージャの任意の後続の送信部分が測定ギャップと重なる場合、ＵＥは上記の重なりを回避するためにＰＲＡＣＨを回避することができる。代替的に、ＵＥは、現在のギャップかまたは将来のギャップか考えることなしにＰＲＡＣＨを常に送信することができ、その場合、ランダムアクセス応答（ＲＡＲ）を探さなければならない。ＵＥは、将来のギャップに注視することなしにＰＲＡＣＨを常に送信することができ、上記が起こった場合、測定を実行する。第８に、第１のＵＬ−ＳＣＨの場合、第１の送信（メッセージ３）は測定ギャップの間にスケジュールできる。ＵＥは、測定を実行するためにスケジュールされているそのメッセージ３をもたらし得るＰＲＡＣＨを回避することができる。ＵＥは、メッセージ３送信を実行し、測定を無視することができる。ＵＥは、メッセージ３をキャンセルし、それが起こった場合、測定を実行することができる。第９に、測定ギャップの間に競合解消メッセージを受信した場合、ＵＥは競合解消を探すか、または測定ギャップを実行することができる。��態様では、ＵＥは、そのようなケースを回避することを期待し、その場合、ＰＲＡＣＨを送信しない。
【００６２】
以上の説明は、様々な態様の例を含む。もちろん、様々な態様について説明する目的で、構成要素または方法のあらゆる考えられる組合せについて説明することは不可能であるが、多数のさらなる組合せおよび置換が可能であることを、当業者なら認識できよう。したがって、本明細書は、添付の特許請求の範囲の趣旨および範囲内に入るすべてのそのような改変形態、変更形態、および変形形態を包含するものとする。
【００６３】
特に、上記の構成要素、デバイス、回路、システムなどによって実行される様々な機能に関して、そのような構成要素を説明するために用いた用語（「手段（means）」への参照を含む）は、特に指示のない限り、開示した構造に構造的に均等ではないが、本明細書で示した例示的な態様における機能を実行する、説明した構成要素の特定の機能（たとえば、機能上の均等物）を実行する任意の構成要素に対応するものとする。この点について、様々な態様は、システム、ならびに様々な方法の行為および／またはイベントを実行するためのコンピュータ実行可能命令を有するコンピュータ可読媒体を含むことも認識されよう。
【００６４】
さらに、特定の特徴をいくつかの実装形態のうちの１つに関してのみ開示したが、所与または特定の適用例にとって所望され、有利なように、そのような特徴を他の実装形態の１つまたは複数の他の特徴と組み合わせることができる。「含む（include）」および「含む（including）」という用語およびそれらの変形が、発明を実施するための形態または特許請求の範囲のいずれかで使用される限り、これらの用語は、「備える（comprising）」という用語と同様に包括的なものとする。さらに、発明を実施するための形態または特許請求の範囲のいずれかで使用される「または（or）」という用語は、「非排他的なまたは（non-exclusive or）」を意味するものとする。
【００６５】
さらに、諒解されるように、開示したシステムおよび方法の様々な部分は、人工知能、機械学習、または知識ベースもしくはルールベースの構成要素、下位構成要素、プロセス、手段、方法、または機構（たとえば、サポートベクターマシン、ニューラルネットワーク、エキスパートシステム、ベイズの信念ネットワーク、ファジー論理、データ融合エンジン、クラシファイヤ．．．）を含むか、またはそれらからなる。そのような構成要素は、システムおよび方法の部分をより適応的ならびに効率的で知的にするために、それによって実行されるいくつかの機構またはプロセスを自動化することができる。限定ではなく例として、進化型ＲＡＮ（たとえば、アクセスポイント、ｅノードＢ）は、ロバストなまたは増強された検査フィールドが採用されたとき、推測または予測することができる。
【００６６】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、サーバ上で実行されるアプリケーションと、そのサーバの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。
【００６７】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【００６８】
さらに、標準的なプログラミングおよび／またはエンジニアリング技法を使用して、開示する態様を実装するようにコンピュータを制御するためのソフトウェア、ファームウェア、ハードウェア、またはそれらの任意の組合せを生成する方法、装置、または製造品として１つまたは複数のバージョンを実装することができる。本明細書で使用する「製造品」（または代替的に「コンピュータプログラム製品」）という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多目的ディスク（ＤＶＤ）．．．）、スマートカード、およびフラッシュメモリデバイス（たとえば、カード、スティック）を含むことができるが、これらに限定されない。さらに、電子メールを送信および受信する際またはインターネットもしくはローカルエリアネットワーク（ＬＡＮ）などのネットワークにアクセスする際に使用される搬送波など、搬送波を使用して、コンピュータ可読電子データを搬送することができることを諒解されたい。もちろん、開示する態様の範囲から逸脱することなく、この構成に対して多数の改変を行うことができることを当業者ならば認識するであろう。
【００６９】
様々な態様を、いくつかの構成要素やモジュールなどを含むシステムに関して提示する。様々なシステムは、追加の構成要素やモジュールなどを含んでもよく、および／または各図に関連して論じる構成要素やモジュールなどのすべてを含まなくてもよいことを理解および諒解されたい。これらの手法の組合せを使用することもできる。本明細書で開示する様々な態様は、タッチスクリーンディスプレイ技術および／またはマウスおよびキーボードタイプインターフェースを利用するデバイスを含む、電気デバイス上で実行できる。そのようなデバイスの例には、コンピュータ（デスクトップおよびモバイル）、スマートフォン、携帯情報端末（ＰＤＡ）、およびワイヤードとワイヤレスの両方の他の電子デバイスがある。
【００７０】
上記で説明した例示的なシステムに鑑みて、開示した主題に従って実装できる方法について、いくつかの流れ図を参照しながら説明した。説明を簡単にするために、方法を一連のブロックとして図示および説明したが、いくつかのブロックは本明細書で図示および説明したブロックとは異なる順序で、および／または他のブロックと同時に、行うことができるので、主張する主題はブロックの順序によって限定されないことを理解および諒解されたい。さらに、本明細書に記載の方法を実装するために、図示したすべてのブロックが必要とされるわけではない。さらに、本明細書で開示した方法は、そのような方法をコンピュータに移送および転送することを可能にするために製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【００７１】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明した開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
【図１】
2011530895.tif 000003
【図２】
2011530895.tif 000004
【図３】
2011530895.tif 000005
【図４】
2011530895.tif 000006
【図５】
2011530895.tif 000007
【図６】
2011530895.tif 000008
【図７】
2011530895.tif 000009
【図８】
2011530895.tif 000010
【図９】
2011530895.tif 000011
【図１０】
2011530895.tif 000012
【図１１】
2011530895.tif 000013
【国際調査報告】
2011530895.tif 000014
2011530895.tif 000015
2011530895.tif 000016